(57)【特許請求の範囲】
【請求項１】
底板２外周から把持筒部３を起立し、かつ該把持筒部の後部を上端まで開口４する外筒１と、
上記把持筒部３内に、該筒部底面へ下端を係合させて下半筒部を嵌着させると共に、上記開口４により囲まれた筒壁部分の左右方向中間部に、巾狭の縦長孔11を、開口４上端よりも孔上端を低く位置させて縦設した受皿嵌合筒10と、
該受皿嵌合筒内へ上下動自在に嵌合させた筒状受皿21の後方下端から、上記受皿嵌合筒10の縦長孔11内下端を通して弾性屈折片22を外方へ突出し、かつ該弾性屈折片外端から操作板23を起立して、該操作板の左右両側部を、上記開口４の左右両側縁へ、後方への抜け出しが不能に係合させた受皿付き部材20とからなり、
上記操作板23を受皿嵌合筒10および把持筒部３に対して上下動させることで、筒状受皿21が受皿嵌合筒10内を上下動可能に形成したことを特徴とする棒状化粧品繰出し容器。
【請求項２】
操作板23の上端に係合突部25を付設して、該係合突部の前面を受皿嵌合筒10の後面へ当接させると共に、
把持筒部開口４の左右両側後縁に、後方への突出部を介して対向方向へ屈折突出する、断面Ｌ字形状の係合部５, ５を付設して、操作板23の左右両面の前部から左右外方へ突設した係合板部24, 24を、上記係合部５, ５内面へ摺動自在に係合させ、
更に、操作板23前面の左右両部から突設した弾性片26, 26の先端を受皿嵌合筒10の後面左右両部へ弾性圧接させた
ことを特徴とする請求項１記載の棒状化粧品繰出し容器。
【請求項３】
筒状受皿21の上下方向中間部後方の操作板部分後面に、上下両部が後方へ隆起し、かつ中間部が凹状をなす、指当て部27を付形した
ことを特徴とする請求項１又は請求項２記載の棒状化粧品繰出し容器。
【発明の詳細な説明】
【０００１】
【発明の属する技術分野】
本発明は、棒状化粧品繰出し容器に関する。
【０００２】
【従来の技術】
従来この種容器として、下部が形成する摘み筒部を除いた上方筒部分を棒状化粧品収納筒部となし、該収納筒部に複数の縦割溝を穿設した主筒と、上記棒状化粧品収納筒部の外面へ回動可能に嵌合させた、内面に複数の螺溝を有する螺筒と、上記棒状化粧品収納部の内面に上下動可能に嵌合され、かつ外面から突出した係合ピンを、上記縦割溝を通して螺溝ヘ係合させた筒状受皿とからなり、摘み筒部を正方向へ回動させることで、筒状受皿を螺筒に対して上昇させて棒状化粧品を棒状化粧品収納筒部から繰出し、かつ該状態から、摘み筒部を逆方向へ回動させることで、筒状受皿を螺筒に対して下降させて棒状化粧品を棒状化粧品収納筒部内へ繰入れるよう形成したものが広く知られている。
【０００３】
【発明が解決しようとする課題】
上記従来容器では、摘み筒部を螺筒に対して正逆方向へ回動させることで、棒状化粧品収納筒部から棒状化粧品を出し入れするよう形成したから、両手を用いて摘み筒部と螺筒をそれぞれ摘むことを要する不便があった。
【０００４】
本発明は、片手操作で棒状化粧品を出し入れできるよう形成して、従来容器の不便を解消できるよう設けた。
【０００５】
【課題を解決するための手段】
第１の手段として、底板２外周から把持筒部３を起立し、かつ該把持筒部の後部を上端まで開口４する外筒１と、
上記把持筒部３内に、該筒部底面へ下端を係合させて下半筒部を嵌着させると共に、上記開口４により囲まれた筒壁部分の左右方向中間部に、巾狭の縦長孔11を、開口４上端よりも孔上端を低く位置させて縦設した受皿嵌合筒10と、
該受皿嵌合筒内へ上下動自在に嵌合させた筒状受皿21の後方下端から、上記受皿嵌合筒10の縦長孔11内下端を通して弾性屈折片22を外方へ突出し、かつ該弾性屈折片外端から操作板23を起立して、該操作板の左右両側部を、上記開口４の左右両側縁へ、後方への抜け出しが不能に係合させた受皿付き部材20とからなり、
上記操作板23を受皿嵌合筒10および把持筒部３に対して上下動させることで、筒状受皿21が受皿嵌合筒10内を上下動可能に形成したことを特徴とする。
【０００６】
第２の手段として、第１の手段を有すると共に、操作板23の上端に係合突部25を付設して、該係合突部の前面を受皿嵌合筒10の後面へ当接させると共に、
把持筒部開口４の左右両側後縁に、後方への突出部を介して対向方向へ屈折突出する、断面Ｌ字形状の係合部５, ５を付設して、操作板23の左右両面の前部から左右外方へ突設した係合板部24, 24を、上記係合部５, ５内面へ摺動自在に係合させ、
更に、操作板23前面の左右両部から突設した弾性片26, 26の先端を受皿嵌合筒10の後面左右両部へ弾性圧接させた。
【０００７】
第３の手段として、第１の手段又は第２の手段をゆうすると共に、筒状受皿21の上下方向中間部後方の操作板部分後面に、上下両部が後方へ隆起し、かつ中間部が凹状をなす、指当て部27を付形した。
【０００８】
【発明の実施の形態】
本発明容器は、外筒１, 受皿嵌合筒10および受皿付き部材20からなり、外筒１は、底板２外周から把持筒部３を起立すると共に、図３が示すように、該把持筒部の後部を上端まで開口４し、かつ図２のように、該開口の左右両後縁に、後方への突出部を介して対向方向へ屈折突出する、断面Ｌ字形状の係合部５，５を付設している。
【０００９】
受皿嵌合筒10は、上記把持筒部３内へ下半筒部を嵌着させると共に、上記開口４により囲まれた筒壁部分の左右方向中間部に巾狭の縦長孔11を、上記開口４上端よりも孔上端を低く位置させて縦設している。図示例では、受皿嵌合筒10の上端部を小外径とし、該小外径部10ａの外面に皿状の内キャップ12の下半を嵌合させたが、該内キャップは必要に応じて設ける。
【００１０】
受皿付き部材20は、上記受皿嵌合筒10内下半へ上下動自在に嵌合させた筒状受皿21を有し、該筒状受皿の内面中間に中間壁21ａを横設し、又筒状受皿21の後方下端から突設部22ａを介して後方突設した弾性屈折片22を、受皿嵌合筒10の縦長孔11内下端を通して外方ヘ突出して、その弾性屈折片22の外端から操作板23を起立し、かつ図２のように、該操作板が有する左右側板の外面前部から左右外方へ突設した係合板部24, 24を上記受皿嵌合筒10の係合部５，５内面に上下摺動自在に係合させ、又その操作板23の上端に付設した係合突部25前面の左右方向中間部を受皿嵌合筒10の上下方向中間後面へ当接させ、更に、操作板23の前面左右両部から弾性片26, 26を斜め下前方へ突出して、これ等弾性片の先端を上記受皿嵌合筒10の後面左右両部へ弾性圧接させ、操作板23を既述受皿嵌合筒10および把持筒部３に対して上下動させることで、上記筒状受皿21が既述受皿嵌合筒10内を上下動可能に形成している。更に、上記筒状受皿21の上下方向中間部後方の操作板部分後面には、上下両部が後方へ隆起し、かつ中間部が凹状をなす、指当て部27を付形している。
【００１１】
30は、筒状の外キャップであり、上記受皿嵌合筒10の上部外面に嵌合させている。
【００１２】
次に、本実施形態の作用を説明する。図１が示す状態から外キャップ30と内キャップ12を外し、次いで、指当て部27に指先を当てて操作板23を押し上げると、筒状受皿21が受皿嵌合筒10に対して上昇し、筒状受皿21内上半に下部を嵌着させた棒状化粧品40が受皿嵌合筒10から繰り出される。該状態では、弾性片26, 26の先端が受皿嵌合筒10の後面左右両部へ弾性圧接されているので、筒状受皿21および操作板23が押上げ位置で保持されることとなる。又該状態から、操作板23を引き下げると、筒状受皿21が下降して、棒状化粧品が受皿嵌合筒10内へ収容される。
【００１３】
図示例では、図３のように、外筒１の係合部５, ５内面のうち下部を除いた部分に多数の小突部６を付設し、かつ図５が示すように、後方へ倒した状態での操作板23の左右両係合板部24, 24の前後方向中間やや前方下面に係合小突起28を付設し、それ等小突部６間へ係合小突起28を係合させて、筒状受皿21を受皿嵌合筒10に対して容易に小刻みに上下動させることができよう形成している。
【００１４】
尚外筒１, 受皿嵌合筒10, 受皿付き部材20および内外キャップ12, 30は、合成樹脂材で成形し、受皿付き部材20は、成形の便宜上、図４, 図５が示すように、操作板23を後方へ倒した状態に成形するとよい。
【００１５】
【発明の効果】
本発明は、上記構成とするものであり、請求項１記載の発明の場合は、外筒１の把持筒部３後部を上端まで開口４し、又その把持筒部３内へ受皿嵌合筒10の下半を嵌着させると共に、開口４により囲まれた受皿嵌合筒10部分の左右方向中間部に巾狭の縦長孔11を縦設し、更に、受皿嵌合筒10内へ上下動自在に嵌合させた筒状受皿21の後方下端から縦長孔11内下端を通して弾性屈折片22を外方へ突出し、かつ該弾性屈折片外端から起立した操作板23の左右両側部を開口４の左右両側縁へ、後方への抜け出しが不能に係合させ、操作板23を受皿嵌合筒10および把持筒部３に対して上下動させることで、筒状受皿21が受皿嵌合筒10内を上下動可能に形成したから、操作板23を押し上げて筒状受皿21を受皿嵌合筒10に対して上昇させることで、受皿嵌合筒10内から棒状化粧品を繰り出すことができると共に、操作板23を引き下げて筒状受皿21を下降させることで、受皿嵌合筒10内へ棒状化粧品を収容させることができ、よって、片手操作で棒状化粧品を出し入れできて極めて便利であり、又各部材の構造が簡易であるので廉価に形成できる。
【００１６】
請求項２記載の発明の場合は、操作板23上端に付設した係合突部25の前面を受皿嵌合筒10の後面へ当接させ、かつ把持筒部開口４の左右両側後縁に付設した断面Ｌ字形状の係合部５, ５内面へ、操作板23の左右両面前部から左右外方へ突設した係合板部24, 24を摺動自在に係合させたから、操作板23がガタつくことが防止されて、該操作板を円滑に操作でき、又操作板23の前面左右両部から突設した弾性片26, 26の先端を受皿嵌合筒10の後面左右両部へ弾性圧接させたから、流通過程で筒状受皿21が受皿嵌合筒10に対して不用意に上下動することが防止され、かつ受皿嵌合筒10に対して筒状受皿21を押上げた場合、該筒状受皿をその押上げ位置で確実に保持することができる。
【００１７】
請求項３記載の発明の場合は、筒状受皿21の上下方向中間部後方の操作板部分後面に、上下両部が後方へ隆起し、かつ中間部が凹状をなす、指当て部27を付形したから、該指当て部に指先を当てて指先の滑りを止め、操作板23を容易に上げ下げすることができる。
【図面の簡単な説明】
【図１】本発明容器の一実施形態を示す縦断面図である。
【図２】図１Ａ−Ａ線を矢示方向に見た横断面図である。
【図３】同実施形態の分解図である。
【図４】操作板を後方へ倒した状態で示す受皿付き部材の平面図である。
【図５】操作板を後方へ倒した状態で示す受皿付き部材の側面図である。
【符号の説明】
１…外筒  10…受皿嵌合筒  20…受皿付き部材
【図１】
0003892633.tif 000002
【図２】
0003892633.tif 000003
【図３】
0003892633.tif 000004
【図４】
0003892633.tif 000005
【図５】
0003892633.tif 000006